(57)【要約】【課題】隔壁不良の検出が容易なプリント配線板、およびそれに用いる硬化性樹脂組成物を提供する。【解決手段】着色剤を含むソルダーレジスト層と、前記ソルダーレジスト層の開口部の周囲に形成された着色剤を含む隔壁とを有するプリント配線板であって、前記ソルダーレジスト層と前記隔壁は、色のコントラストがあるプリント配線板である。【選択図】図１
2015090876.tif 000002
【特許請求の範囲】
【請求項１】
着色剤を含むソルダーレジスト層と、前記ソルダーレジスト層の開口部の周囲に形成された着色剤を含む隔壁とを有するプリント配線板であって、
前記ソルダーレジスト層と前記隔壁は、色のコントラストがあることを特徴とするプリント配線板。
【請求項２】
前記隔壁に含まれる着色剤の濃度が、固形分換算で、前記ソルダーレジスト層に含まれる着色剤の濃度と異なることを特徴とする請求項１記載のプリント配線板。
【請求項３】
前記隔壁に含まれる着色剤の種類が、前記ソルダーレジスト層に含まれる着色剤の種類と異なることを特徴とする請求項１または２記載のプリント配線板。
【請求項４】
請求項１〜３のいずれか１項記載のプリント配線板の、着色剤を含む前記隔壁を形成するために用いられることを特徴とする硬化性樹脂組成物。
【請求項５】
請求項１〜３のいずれか１項記載のプリント配線板の、着色剤を含む前記ソルダーレジスト層を形成するために用いられることを特徴とする硬化性樹脂組成物。
【請求項６】
前記着色剤が、緑色、黄色、赤色、黒色、青色、橙色、紫色または白色の着色剤の少なくとも１種を含むことを特徴とする請求項４または５記載の硬化性樹脂組成物。
【請求項７】
エポキシ樹脂を含有しないことを特徴とする請求項４記載の硬化性樹脂組成物。
【発明の詳細な説明】
【技術分野】
【０００１】
本発明は、プリント配線板、およびそれに用いる硬化性樹脂組成物に関し、詳しくは、隔壁不良の検出が容易なプリント配線板、およびそれに用いる硬化性樹脂組成物に関する。
【背景技術】
【０００２】
近年の電子機器の軽薄短小化に伴い、チップとプリント配線板との接続形態として、ワイヤーボンディングよりも半導体パッケージの高密度実装化や低背化が可能な、フリップチップ実装が採用されていることが増えている。
【０００３】
このフリップチップ実装では、はんだボールを用いる電極同士の接合方法が広く知られている。このはんだボールを用いる接合は、配線基板またはチップのいずれか一方の電極上にはんだボールを配置し、他方の接続電極と位置合わせをしたのちリフローすることにより行われ、さらに、チップと配線基板の隙間にアンダーフィル（封止樹脂）を流し込み硬化させることにより、接続信頼性を高めている。アンダーフィルは、接続部の補強のために、チップを頂上として広がる山裾が形成されるように、チップと基板の隙間から若干周囲に溢れるように充填される。しかしながら、アンダーフィルは、チップと基板の隙間を確実に埋めるために流動性が高く設計されていることから、ソルダーレジスト上に広がり易いという性質がある。特に高密度実装化においては、他の周囲のデバイスや配線系統との距離が短いことから、溢れたアンダーフィルがそれらに達し電気的作動に悪影響を与えないように、アンダーフィルの広がりを防止する必要があった。
【０００４】
アンダーフィルの広がりを防止する手段の一つとして、フリップチップ実装部を包囲するように、ソルダーレジストに突部や溝部の段差を形成し、溢れたアンダーフィルを堰き止める隔壁を設ける方法が知られている（例えば、特許文献１）。
【先行技術文献】
【特許文献】
【０００５】
【特許文献１】特開２００１−２４４３８４号公報
【発明の開示】
【発明が解決しようとする課題】
【０００６】
近年、隔壁を形成したにもかかわらず、アンダーフィルを堰き止めることができない不良品の発生率が増加していた。本発明者等は、特に隔壁や隔壁形成のための溝部が微細な場合に、隔壁の崩れなどの不良が検査時に見落とされてしまうことに問題があることを見出した。
【０００７】
そこで本発明の目的は、隔壁不良の検出が容易なプリント配線板、およびそれに用いる硬化性樹脂組成物を提供することにある。
【課題を解決するための手段】
【０００８】
本発明者等は、上記課題を解決すべく鋭意検討した結果、隔壁とソルダーレジスト層に、色のコントラストを設けることによって、上記課題を解決しうることを見出し、本発明を完成するに至った。
【０００９】
即ち、本発明のプリント配線板は、着色剤を含むソルダーレジスト層と、前記ソルダーレジスト層の開口部の周囲に形成された着色剤を含む隔壁とを有するプリント配線板であって、前記ソルダーレジスト層と前記隔壁は、色のコントラストがあることを特徴とするものである。
【００１０】
本発明のプリント配線板は、前記隔壁に含まれる着色剤の濃度が、固形分換算で、前記ソルダーレジスト層に含まれる着色剤の濃度と異なることが好ましい。
【００１１】
本発明のプリント配線板は、前記隔壁に含まれる着色剤の種類が、前記ソルダーレジスト層に含まれる着色剤の種類と異なることが好ましい。
【００１２】
本発明の硬化性樹脂組成物は、前記プリント配線板の、着色剤を含む前記隔壁を形成するために用いられることを特徴とするものである。
【００１３】
本発明の硬化性樹脂組成物は、前記プリント配線板の、着色剤を含む前記ソルダーレジスト層を形成するために用いられることを特徴とするものである。
【００１４】
本発明の硬化性樹脂組成物は、前記着色剤が、緑色、黄色、赤色、黒色、青色、橙色、紫色または白色の着色剤の少なくとも１種を含むことが好ましい。
【００１５】
本発明の前記隔壁を形成するために用いられる硬化性樹脂組成物は、エポキシ樹脂を含有しないことが好ましい。
【発明の効果】
【００１６】
本発明により、隔壁不良の検出が容易なプリント配線板、およびそれに用いる硬化性樹脂組成物を提供することが可能となる。
【図面の簡単な説明】
【００１７】
【図１】本発明のプリント配線板の一例を示す概略断面図である。
【図２】本発明のプリント配線板の他の一例を示す概略断面図である。
【図３】図１（Ａ）に示すプリント配線板の一例の概略平面図である。
【発明を実施するための形態】
【００１８】
本発明のプリント配線板は、着色剤を含むソルダーレジスト層と、ソルダーレジスト層の開口部の周囲に形成された着色剤を含む隔壁とを有し、ソルダーレジスト層と隔壁は、色のコントラストを有する。ソルダーレジスト層と隔壁とに、色のコントラストを設けることによって、隔壁の識別性が向上し、検査時に隔壁の不良を検出し易くなる。本発明において、「色のコントラストがある」とは、色に違いがあることを意味する。色のコントラストは、直接もしくは光学顕微鏡等の機器を介して目視で、または、検査機等の装置を用いた検出において、色の違いを識別できる程度にあればよい。色のコントラストの有無は、光の反射率、透過率、ＣＩＥ Ｌ＊ａ＊ｂ＊表色系におけるＬ＊値、ａ＊値、ｂ＊値などの様々なパラメーターの相違によって判断してもよい。
【００１９】
色のコントラストは、好ましくは、隔壁に含まれる着色剤の濃度を、ソルダーレジスト層に含まれる着色剤の濃度とは異なる濃度とすることによって設けることができる。濃度が異なれば、同じ着色剤を用いた場合であっても、色の濃淡で色のコントラストを得ることができる。この場合、固形分換算で、隔壁中の着色剤の濃度とソルダーレジスト層中の着色剤の濃度との差が、好ましくは０．０１質量％以上、より好ましくは０．０３質量％以上、さらに好ましくは０．１質量％以上である。なお、隔壁中の着色剤の濃度とソルダーレジスト層中の着色剤の濃度との差の上限値は、特に制限はないが、例えば、３質量％である。隔壁中の着色剤の濃度は、ソルダーレジスト層中の着色剤の濃度より高くても、低くてもよい。
【００２０】
また、色のコントラストは、隔壁に含まれる着色剤の種類を、ソルダーレジスト層に含まれる着色剤の種類とは異なる種類とすることによっても設けることができる。着色剤の色が異なる場合はもちろん、大枠で同色（例えば緑色）の着色剤であっても、着色剤の種類が異なれば、ソルダーレジスト層と隔壁とに色のコントラスト（例えば暗い緑色と明るい緑色）を得ることができる。本明細書においては、ソルダーレジスト層または隔壁の少なくとも一方が２以上の着色剤を含有する場合であって、一方が含有しない着色剤を含有する場合も、着色剤の種類が異なるとする。
【００２１】
色の組み合わせは、ソルダーレジスト層と隔壁の色がそれぞれ、緑色と黄色、緑色と青色、緑色と黒色、緑色と白色、緑色と赤色、青色と黄色、青色と黒色、青色と白色、青色と赤色、黒色と白色、白色と黒色の組み合わせであることが好ましい。ソルダーレジスト層と隔壁の色の組合せは、前記と逆でも良い。
【００２２】
隔壁およびソルダーレジスト層に含まれる着色剤としては、慣用公知の着色剤を使用することができ、顔料、染料、色素のいずれでもよい。緑色、黄色、赤色、黒色、青色、橙色、紫色、白色などの着色剤を使用することができる。着色剤は１種または２種以上を組み合わせて用いることができる。具体的には、下記のようなカラーインデックス（Ｃ．Ｉ．；ザ  ソサイエティ  オブ  ダイヤーズ  アンド  カラリスツ（The Society of Dyers and Colourists）発行）番号が付されているものを挙げることができる。但し、環境負荷低減並びに人体への影響の観点からハロゲンを含有しないことが好ましい。
【００２３】
緑色着色剤：
緑色着色剤としては、フタロシアニン系、アントラキノン系、ペリレン系があり、具体的にはPigment Green 7、Pigment Green 36、Solvent Green 3、Solvent Green 5、Solvent Green 20、Solvent Green 28等を使用することができる。上記以外にも、金属置換もしくは無置換のフタロシアニン化合物も使用することができる。
【００２４】
黄色着色剤：
黄色着色剤としてはモノアゾ系、ジスアゾ系、縮合アゾ系、ベンズイミダゾロン系、イソインドリノン系、アントラキノン系等があり、具体的には以下のものが挙げられる。
アントラキノン系：Solvent Yellow 163、Pigment Yellow 24、Pigment Yellow 108、Pigment Yellow 193、Pigment Yellow 147、Pigment Yellow 199、Pigment Yellow 202。
イソインドリノン系：Pigment Yellow 110、Pigment Yellow 109、Pigment Yellow 139、Pigment Yellow 179、Pigment Yellow 185。
縮合アゾ系：Pigment Yellow 93、Pigment Yellow 94、Pigment Yellow 95、Pigment Yellow 128、Pigment Yellow 155、Pigment Yellow 166、Pigment Yellow 180。
ベンズイミダゾロン系：Pigment Yellow 120、Pigment Yellow 151、Pigment Yellow 154、Pigment Yellow 156、Pigment Yellow 175、Pigment Yellow 181。
モノアゾ系：Pigment Yellow 1, 2, 3, 4, 5, 6, 9, 10, 12, 61, 62, 62:1, 65, 73, 74, 75, 97, 100, 104, 105, 111, 116, 167, 168, 169, 182, 183。
ジスアゾ系：Pigment Yellow 12, 13, 14, 16, 17, 55, 63, 81, 83, 87, 126, 127, 152, 170, 172, 174, 176, 188, 198。
【００２５】
赤色着色剤：
赤色着色剤としてはモノアゾ系、ジズアゾ系、アゾレーキ系、ベンズイミダゾロン系、ペリレン系、ジケトピロロピロール系、縮合アゾ系、アントラキノン系、キナクリドン系などがあり、具体的には以下のものが挙げられる。
モノアゾ系：Pigment Red 1, 2, 3, 4, 5, 6, 8, 9, 12, 14, 15, 16, 17, 21, 22, 23, 31, 32, 112, 114, 146, 147, 151, 170, 184, 187, 188, 193, 210, 245, 253, 258, 266, 267, 268, 269。
ジスアゾ系：Pigment Red 37, 38, 41。
モノアゾレーキ系：Pigment Red 48:1, 48:2, 48:3, 48:4, 49:1, 49:2, 50:1, 52:1, 52:2, 53:1, 53:2, 57:1, 58:4, 63:1, 63:2, 64:1, 68。
ベンズイミダゾロン系：Pigment Red 171、Pigment Red 175、Pigment Red 176、Pigment Red 185、Pigment Red 208。
ぺリレン系：Solvent Red 135、Solvent Red 179、Pigment Red 123、Pigment Red 149、Pigment Red 166、Pigment Red 178、Pigment Red 179、Pigment Red 190、Pigment Red 194、Pigment Red 224。
ジケトピロロピロール系：Pigment Red 254、Pigment Red 255、Pigment Red 264、Pigment Red 270、Pigment Red 272。
縮合アゾ系：Pigment Red 220、Pigment Red 144、Pigment Red 166、Pigment Red 214、Pigment Red 220、Pigment Red 221、Pigment Red 242。
アンスラキノン系：Pigment Red 168、Pigment Red 177、Pigment Red 216、Solvent Red 149、Solvent Red 150、Solvent Red 52、Solvent Red 207。
キナクリドン系：Pigment Red 122、Pigment Red 202、Pigment Red 206、Pigment Red 207、Pigment Red 209。
【００２６】
黒色着色剤：
本発明に用いられる黒色着色剤としては、公知慣用の黒色着色剤を使用することができる。黒色着色剤としては、C.I.Pigment black 6、7、9および18等に示されるカーボンブラック系の顔料、C.I.Pigment black 8、10等に示される黒鉛系の顔料、C.I.Pigment black 11、12および27，Pigment Brown 35等で示される酸化鉄系の顔料：例えば戸田工業社製ＫＮ−３７０の酸化鉄、三菱マテリアル社製１３Ｍのチタンブラック、C.I.Pigment black 20等で示されるアンスラキノン系の顔料、C.I.Pigment black 13、25および29等で示される酸化コバルト系の顔料、C.I.Pigment black 15および28等で示される酸化銅系の顔料、C.I.Pigment black 14および26等で示されるマンガン系の顔料、C.I.Pigment black 23等で示される酸化アンチモン系の顔料、C.I.Pigment black 30等で示される酸化ニッケル系の顔料、C.I.Pigment black 31、32で示されるペリレン系の顔料、Pigment Black 1で示されるアニリン系の顔料および硫化モリブデンや硫化ビスマスも好適な顔料として例示できる。これらの顔料は、単独で、または適宜組合せて使用される。特に好ましいのは、カーボンブラックであり例えば、三菱化学社製のカーボンブラック、Ｍ−４０、Ｍ−４５、Ｍ−５０、ＭＡ−８、ＭＡ−１００、またペリレン系の顔料は有機顔料の中でも低ハロゲン化に有効である。
【００２７】
青色着色剤：
青色着色剤としてはフタロシアニン系、アントラキノン系があり、顔料系はピグメント（Pigment）に分類されている化合物、具体的には、下記のようなものを挙げることができる：Pigment Blue 15、Pigment Blue 15:1、Pigment Blue 15:2、Pigment Blue 15:3、Pigment Blue 15:4、Pigment Blue 15:6、Pigment Blue 16、Pigment Blue 60。
染料系としては、Solvent Blue 35、Solvent Blue 63、Solvent Blue 68、Solvent Blue 70、Solvent Blue 83、Solvent Blue 87、Solvent Blue 94、Solvent Blue 97、Solvent Blue 122、Solvent Blue 136、Solvent Blue 67、Solvent Blue 70等を使用することができる。上記以外にも、金属置換もしくは無置換のフタロシアニン化合物も使用することができる。
【００２８】
橙色着色剤：
橙色着色剤としては、C.I.Pigment Orange 1、C.I.Pigment Orange 5、C.I.Pigment Orange 13、C.I.Pigment Orange 14、C.I.Pigment Orange 16、C.I.Pigment Orange 17、C.I.Pigment Orange 24、C.I.Pigment Orange 34、C.I.Pigment Orange 36、C.I.Pigment Orange 38、C.I.Pigment Orange 40、C.I.Pigment Orange 43、C.I.Pigment Orange 46、C.I.Pigment Orange 49、C.I.Pigment Orange 51、C.I.Pigment Orange 61、C.I.Pigment Orange 63、C.I.Pigment Orange 64、C.I.Pigment Orange 71、C.I.Pigment Orange 73等を挙げることができる。
【００２９】
紫色着色剤：
紫色着色剤としては、Pigment Violet 19、23、29、32、36、38、42、Solvent Violet 13、36を挙げることができる。
【００３０】
白色着色剤：
白色着色剤としては、酸化チタン、酸化亜鉛、塩基性炭酸鉛、塩基性硫酸鉛、硫酸鉛、硫化亜鉛、酸化アンチモン等が挙げられる。酸化チタンとしてはルチル型酸化チタンでもアナターゼ型酸化チタンでもよいが、ルチル型酸化チタンを用いることが好ましい。
【００３１】
ルチル型酸化チタンとしては、公知のものを使用することができる。具体的には、富士チタン工業社製ＴＲ−６００、ＴＲ−７００、ＴＲ−７５０、ＴＲ−８４０、石原産業社製Ｒ−５５０、Ｒ−５８０、Ｒ−６３０、Ｒ−８２０、ＣＲ−５０、ＣＲ−５８、ＣＲ−６０、ＣＲ−９０、ＣＲ−９７、チタン工業社製ＫＲ−２７０、ＫＲ−３１０、ＫＲ−３８０等を使用することができる。
【００３２】
これらの酸化チタンの中でも、表面が含水アルミナまたは水酸化アルミニウムで処理された酸化チタンを用いることが、組成物中での分散性、保存安定性、難燃性の観点から特に好ましい。
また、酸化チタンを含有する組成物により形成される硬化塗膜は、Ｙ値が７０以上であることが好ましく、７５以上であることがより好ましい。
【００３３】
その他、茶色などの着色剤を加えてもよい。具体的に例示すれば、C.I. Pigment Brown 23、C.I. Pigment Brown 25等がある。
【００３４】
ソルダーレジスト層および隔壁に含まれる着色剤（酸化チタンを除く）の配合量は、固形分換算で、それぞれ隔壁およびソルダーレジスト層中に、０．１〜５質量％であることが好ましい。着色剤として酸化チタンを用いる場合の配合量は、固形分換算でそれぞれ隔壁およびソルダーレジスト層中に、好ましくは０．１〜５０質量％、より好ましくは０．１〜２５質量％である。着色剤の配合量の上限値を上記のように設定することにより、良好な解像性を得ることができる。また、隔壁形成用の硬化性樹脂組成物およびソルダーレジスト形成用の硬化性樹脂組成物中の着色剤の配合量も同様である。
【００３５】
＜隔壁形成用の硬化性樹脂組成物＞
隔壁は、硬化性樹脂組成物を用いて形成することができる。隔壁形成用の硬化性樹脂組成物は、室温保存が可能となり、また、コストダウンを図ることができることから、エポキシ樹脂を含有しないことが好ましい。また、隔壁形成用の硬化性樹脂組成物は、微細な隔壁または隔壁形成のための溝を短時間で形成できることから、アルカリ現像性の光硬化性樹脂組成物であることが好ましい。隔壁形成用の硬化性樹脂組成物は、上記の着色剤の他に、硬化性樹脂組成物に通常使用されている下記のような材料を用いて調製することができる。硬化性樹脂組成物を、アルカリ現像性の光硬化性樹脂組成物とするためには、硬化性樹脂組成物が、アルカリ可溶性樹脂、および、光重合開始剤を含有するものであることが好ましい。なお、隔壁形成用の硬化性樹脂組成物は、アルカリ可溶性樹脂を含有しない非現像型光硬化性樹脂組成物、溶剤現像型光硬化性樹脂組成物、熱硬化性樹脂組成物でもよい。また、隔壁形成用の硬化性樹脂組成物は、光塩基発生剤を含有する組成物、光酸発生剤を含有する組成物でもよい。
【００３６】
（アルカリ可溶性樹脂）
アルカリ可溶性樹脂としては、分子中にカルボキシル基を有している従来公知の各種カルボキシル基含有樹脂を使用できる。特に、分子中にエチレン性不飽和二重結合を有するカルボキシル基含有感光性樹脂が、光硬化性や耐現像性の面から好ましいが、エチレン性不飽和二重結合を有しないカルボキシル基含有樹脂を使用してもよい。エチレン性不飽和二重結合は、アクリル酸もしくはメタアクリル酸またはそれらの誘導体由来であることが好ましい。
カルボキシル基含有樹脂の具体例としては、以下のような化合物（オリゴマーおよびポリマーのいずれでもよい）を挙げることができる。
【００３７】
（１）（メタ）アクリル酸等の不飽和カルボン酸と、スチレン、α−メチルスチレン、低級アルキル（メタ）アクリレート、イソブチレン等の不飽和基含有化合物との共重合により得られるカルボキシル基含有樹脂。
【００３８】
（２）脂肪族ジイソシアネート、分岐脂肪族ジイソシアネート、脂環式ジイソシアネート、芳香族ジイソシアネート等のジイソシアネートと、ジメチロールプロピオン酸、ジメチロールブタン酸等のカルボキシル基含有ジアルコール化合物およびポリカーボネート系ポリオール、ポリエーテル系ポリオール、ポリエステル系ポリオール、ポリオレフィン系ポリオール、アクリル系ポリオール、ビスフェノールＡ系アルキレンオキシド付加体ジオール、フェノール性ヒドロキシル基およびアルコール性ヒドロキシル基を有する化合物等のジオール化合物の重付加反応によるカルボキシル基含有ウレタン樹脂。
【００３９】
（３）ジイソシアネートと、ビスフェノールＡ型エポキシ樹脂、水添ビスフェノールＡ型エポキシ樹脂、ビスフェノールＦ型エポキシ樹脂、ビスフェノールＳ型エポキシ樹脂、ビキシレノール型エポキシ樹脂、ビフェノール型エポキシ樹脂等の２官能エポキシ樹脂の（メタ）アクリレートもしくはその部分酸無水物変性物、カルボキシル基含有ジアルコール化合物およびジオール化合物の重付加反応によるカルボキシル基含有感光性ウレタン樹脂。
【００４０】
（４）前記（２）または（３）の樹脂の合成中に、ヒドロキシアルキル（メタ）アクリレート等の分子内に１つの水酸基と１つ以上の（メタ）アクリロイル基を有する化合物を加え、末端（メタ）アクリル化したカルボキシル基含有感光性ウレタン樹脂。
【００４１】
（５）前記（２）または（３）の樹脂の合成中に、イソホロンジイソシアネートとペンタエリスリトールトリアクリレートの等モル反応物など、分子内に１つのイソシアネート基と１つ以上の（メタ）アクリロイル基を有する化合物を加え末端（メタ）アクリル化したカルボキシル基含有感光性ウレタン樹脂。
【００４２】
（６）後述するような２官能またはそれ以上の多官能（固形）エポキシ樹脂に（メタ）アクリル酸を反応させ、側鎖に存在する水酸基に２塩基酸無水物を付加させたカルボキシル基含有感光性樹脂。
【００４３】
（７）後述するような２官能（固形）エポキシ樹脂の水酸基をさらにエピクロロヒドリンでエポキシ化した多官能エポキシ樹脂に（メタ）アクリル酸を反応させ、生じた水酸基に２塩基酸無水物を付加させたカルボキシル基含有感光性樹脂。
【００４４】
（８）後述するような２官能オキセタン樹脂にアジピン酸、フタル酸、ヘキサヒドロフタル酸等のジカルボン酸を反応させ、生じた１級の水酸基に無水フタル酸、テトラヒドロ無水フタル酸、ヘキサヒドロ無水フタル酸等の２塩基酸無水物を付加させたカルボキシル基含有ポリエステル樹脂。
【００４５】
（９）１分子中に複数のフェノール性水酸基を有する化合物とエチレンオキシド、プロピレンオキシド等のアルキレンオキシドとを反応させて得られる反応生成物に不飽和基含有モノカルボン酸を反応させ、得られる反応生成物に多塩基酸無水物を反応させて得られるカルボキシル基含有感光性樹脂。
【００４６】
（１０）１分子中に複数のフェノール性水酸基を有する化合物とエチレンカーボネート、プロピレンカーボネート等の環状カーボネート化合物とを反応させて得られる反応生成物に不飽和基含有モノカルボン酸を反応させ、得られる反応生成物に多塩基酸無水物を反応させて得られるカルボキシル基含有感光性樹脂。
【００４７】
（１１）前記（１）〜（１０）の樹脂にさらに１分子内に１つのエポキシ基と１つ以上の（メタ）アクリロイル基を有する化合物を付加してなるカルボキシル基含有感光性樹脂。
なお、本明細書において、（メタ）アクリレートとは、アクリレート、メタクリレートおよびそれらの混合物を総称する用語で、他の類似の表現についても同様である。
【００４８】
前記のようなカルボキシル基含有樹脂は、バックボーン・ポリマーの側鎖に多数のカルボキシル基を有するため、希アルカリ水溶液による現像が可能になる。
【００４９】
また、アルカリ可溶性樹脂の酸価は、４０〜２００ｍｇＫＯＨ／ｇの範囲が適当であり、より好ましくは４５〜１２０ｍｇＫＯＨ／ｇの範囲である。アルカリ可溶性樹脂の酸価が４０ｍｇＫＯＨ／ｇ以上の場合、塗膜の密着性が良好で、光硬化性樹脂組成物とした場合にはアルカリ現像が良好となる。一方、２００ｍｇＫＯＨ／ｇ以下の場合、現像液による露光部の溶解を抑制できるため、必要以上にラインが痩せたり、場合によっては、露光部と未露光部の区別なく現像液で溶解剥離したりすることを抑制して、良好にレジストパターンを描画することができる。
【００５０】
また、アルカリ可溶性樹脂の重量平均分子量は、樹脂骨格により異なるが、一般的に２，０００〜１５０，０００、さらには５，０００〜１００，０００の範囲にあるものが好ましい。重量平均分子量が２，０００以上の場合、タックフリー性能が良好であり、露光後の塗膜の耐湿性が良好で、現像時の膜減りを抑制し、解像度の低下を抑制できる。一方、重量平均分子量が１５０，０００以下の場合、現像性が良好で、貯蔵安定性にも優れる。
【００５１】
このようなアルカリ可溶性樹脂の配合量は、硬化性樹脂組成物中に、固形分換算で、好ましくは１０〜７０質量％、より好ましくは２０〜６０質量％の範囲である。アルカリ可溶性樹脂の配合量が１０質量％以上の場合、被膜強度が向上するので好ましい。一方、７０質量％以下の場合、硬化性樹脂組成物の粘性が適度で、キャリアフィルムへの塗布性等が向上するので好ましい。
【００５２】
前記カルボキシル基含有樹脂の中では、芳香環を有している樹脂が屈折率が高く、解像性に優れるので好ましく、さらにノボラック構造を有しているものが解像性だけでなく、ＰＣＴやクラック耐性に優れているので好ましい。中でも、前記カルボキシル基含有樹脂（９）、（１０）のごときフェノール化合物を出発物質と使用して合成されるカルボキシル基含有樹脂はＨＡＳＴ耐性、ＰＣＴ耐性が優れるため好適に用いることが出来る。
【００５３】
アルカリ可溶性樹脂としては、従来公知のフェノール樹脂を使用してもよい。フェノール樹脂としては、フェノール性水酸基を有する化合物、例えば、ビフェニル骨格、或いはフェニレン骨格、又はその両方の骨格を有する化合物などが挙げられる。
具体的には、フェノール、オルソクレゾール、パラクレゾール、メタクレゾール、２，３−キシレノール、２，４−キシレノール、２，５−キシレノール、２，６−キシレノール、３，４−キシレノール、３，５−キシレノール、カテコール、レゾルシノール、ハイドロキノン、メチルハイドロキノン、２，６−ジメチルハイドロキノン、トリメチルハイドロキノン、ピロガロール、フロログルシノール等とを用いて合成した、様々な骨格を有するフェノール樹脂を用いてもよい。
例えばフェノールノボラック樹脂、アルキルフェノールボラック樹脂、ビスフェノールＡノボラック樹脂、ジシクロペンタジエン型フェノール樹脂、Ｘｙｌｏｋ型フェノール樹脂、テルペン変性フェノール樹脂、ポリビニルフェノール類、ビスフェノールＦ、ビスフェノールＳ型フェノール樹脂、ポリ−ｐ−ヒドロキシスチレン、ナフトールとアルデヒド類の縮合物、ジヒドロキシナフタレンとアルデヒド類との縮合物など公知慣用のフェノール樹脂を用いることができる。
【００５４】
かかるフェノール樹脂の市販品としては、ＨＦ１Ｈ６０（明和化成社製）フェノライトＴＤ−２０９０、フェノライトＴＤ−２１３１（大日本印刷社製）、ベスモールＣＺ−２５６−Ａ（ＤＩＣ社製）、シヨウノールＢＲＧ−５５５、シヨウノールＢＲＧ−５５６（昭和電工社製）、ＣＧＲ−９５１(丸善石油社製)、またはポリビニルフェノールのＣＳＴ７０、ＣＳＴ９０、Ｓ−１Ｐ、Ｓ−２Ｐ(丸善石油社製)等を挙げることができる。
【００５５】
アルカリ可溶性樹脂としては、前記列挙したものに限らず使用することができ、１種類を単独で用いてもよく、複数種を混合して用いてもよい。カルボキシル基含有樹脂およびフェノール樹脂の混合物を用いてもよい。また、アルカリ可溶性樹脂として、１分子中にカルボキシル基およびフェノール水酸基を有する樹脂を用いてもよい。
【００５６】
（光重合開始剤）
光重合開始剤としては、オキシムエステル基を有するオキシムエステル系光重合開始剤、α−アミノアセトフェノン系光重合開始剤、アシルホスフィンオキサイド系光重合開始剤からなる群から選択される１種以上の光重合開始剤を好適に使用することができる。
【００５７】
特に、前記オキシムエステル系開始剤が配合量も少なくて済み、アウトガスが抑えられ、ＰＣＴ耐性やクラック耐性に効果がある。また、オキシムエステル系開始剤に加えてアシルホスフィンオキサイド系光重合開始剤を併用しても、解像性の良好な形状が得られるため好ましい。
【００５８】
オキシムエステル系光重合開始剤としては、市販品として、ＢＡＳＦジャパン社製のＣＧＩ−３２５、イルガキュアー  ＯＸＥ０１、イルガキュアー  ＯＸＥ０２、ＡＤＥＫＡ社製Ｎ−１９１９、ＮＣＩ−８３１などが挙げられる。また、分子内に２個以上のオキシムエステル基を有する光重合開始剤も好適に用いることができ、例えば、カルバゾール構造を有するオキシムエステル化合物が挙げられる。
【００５９】
このようなオキシムエステル系光重合開始剤の配合量は、硬化性樹脂組成物中に固形分換算で、０．０１〜１０質量％とすることが好ましい。０．０１質量％以上の場合、銅上での光硬化性が良好であり、塗膜の剥離が抑制され、耐薬品性などの塗膜特性も良好となる。一方、１０質量％以下の場合、塗膜表面での光吸収が良好となり、深部硬化性が向上する。より好ましくは、０．０５〜５質量％である。
【００６０】
α−アミノアセトフェノン系光重合開始剤としては、具体的には２−メチル−１−［４−（メチルチオ）フェニル］−２−モルホリノプロパノン−１、２−ベンジル−２−ジメチルアミノ−１−（４−モルホリノフェニル）−ブタン−１−オン、２−（ジメチルアミノ）−２−［（４−メチルフェニル）メチル］−１−［４−（４−モルホリニル）フェニル］−１−ブタノン、Ｎ，Ｎ−ジメチルアミノアセトフェノンなどが挙げられる。市販品としては、ＢＡＳＦジャパン社製のイルガキュアー９０７、イルガキュアー３６９、イルガキュアー３７９などが挙げられる。
【００６１】
アシルホスフィンオキサイド系光重合開始剤としては、具体的には２，４，６−トリメチルベンゾイルジフェニルホスフィンオキサイド、ビス（２，４，６−トリメチルベンゾ
イル）−フェニルホスフィンオキサイド、ビス（２，６−ジメトキシベンゾイル）−２，４，４−トリメチル−ペンチルホスフィンオキサイドなどが挙げられる。市販品としては、ＢＡＳＦジャパン社製のルシリンＴＰＯ、イルガキュアー８１９などが挙げられる。
【００６２】
これらα−アミノアセトフェノン系光重合開始剤、アシルホスフィンオキサイド系光重合開始剤の配合量は、硬化性樹脂組成物中に固形分換算で、０．０１〜１５質量％であることが好ましい。０．０１質量部以上の場合、同様に銅上での光硬化性が良好であり、塗膜の剥離が抑制され、耐薬品性などの塗膜特性も良好となる。一方、１５質量％以下の場合、アウトガスが低減し、塗膜表面での光吸収が良好となり、深部硬化性が向上する。より好ましくは０．５〜１０質量％である。
【００６３】
前記隔壁形成用の硬化性樹脂組成物は、光重合開始剤の他に、光開始助剤、増感剤を用いることができる。好適に用いることができる光開始助剤および増感剤としては、ベンゾイン化合物、アセトフェノン化合物、アントラキノン化合物、チオキサントン化合物、ケタール化合物、ベンゾフェノン化合物、３級アミン化合物、およびキサントン化合物などを挙げることができる。
【００６４】
［感光性モノマー］
感光性モノマーは、分子中に１個以上のエチレン性不飽和基を有する化合物である。感光性モノマーは、活性エネルギー線照射によるアルカリ可溶性樹脂の光硬化を助けるものである。
【００６５】
前記感光性モノマーとして用いられる化合物としては、例えば、慣用公知のポリエステル（メタ）アクリレート、ポリエーテル（メタ）アクリレート、ウレタン（メタ）アクリレート、カーボネート（メタ）アクリレート、エポキシ（メタ）アクリレートなどが挙げられる。具体的には、２−ヒドロキシエチルアクリレート、２−ヒドロキシプロピルアクリレートなどのヒドロキシアルキルアクリレート類；エチレングリコール、メトキシテトラエチレングリコール、ポリエチレングリコール、プロピレングリコールなどのグリコールのジアクリレート類；Ｎ，Ｎ−ジメチルアクリルアミド、Ｎ−メチロールアクリルアミド、Ｎ，Ｎ−ジメチルアミノプロピルアクリルアミドなどのアクリルアミド類；Ｎ，Ｎ−ジメチルアミノエチルアクリレート、Ｎ，Ｎ−ジメチルアミノプロピルアクリレートなどのアミノアルキルアクリレート類；ヘキサンジオール、トリメチロールプロパン、ペンタエリスリトール、ジペンタエリスリトール、トリス−ヒドロキシエチルイソシアヌレートなどの多価アルコールまたはこれらのエチレンオキサイド付加物、プロピレンオキサイド付加物、もしくはε−カプロラクトン付加物などの多価アクリレート類；フェノキシアクリレート、ビスフェノールＡジアクリレート、およびこれらのフェノール類のエチレンオキサイド付加物もしくはプロピレンオキサイド付加物などの多価アクリレート類；グリセリンジグリシジルエーテル、グリセリントリグリシジルエーテル、トリメチロールプロパントリグリシジルエーテル、トリグリシジルイソシアヌレートなどのグリシジルエーテルの多価アクリレート類；前記に限らず、ポリエーテルポリオール、ポリカーボネートジオール、水酸基末端ポリブタジエン、ポリエステルポリオールなどのポリオールを直接アクリレート化、もしくは、ジイソシアネートを介してウレタンアクリレート化したアクリレート類およびメラミンアクリレート、および前記アクリレートに対応する各メタクリレート類などが挙げられる。
【００６６】
さらに、クレゾールノボラック型エポキシ樹脂などの多官能エポキシ樹脂に、アクリル酸を反応させたエポキシアクリレート樹脂や、さらにそのエポキシアクリレート樹脂の水酸基に、ペンタエリスリトールトリアクリレートなどのヒドロキシアクリレートとイソホロンジイソシアネートなどのジイソシアネートのハーフウレタン化合物を反応させたエポキシウレタンアクリレート化合物などを感光性モノマーとして用いてもよい。このようなエポキシアクリレート系樹脂は、指触乾燥性を低下させることなく、光硬化性を向上させることができる。
【００６７】
前記の感光性モノマーとして用いられる分子中にエチレン性不飽和基を有する化合物の配合量は、好ましくは硬化性樹脂組成物中に固形分換算で、０.１〜５０質量％、より好ましくは、１〜３０質量％の割合である。０．１質量％以上の場合、光硬化性が向上し、活性エネルギー線照射後のアルカリ現像により、パターン形成が容易となるので好ましい。一方、５０質量％以下の場合、アルカリ水溶液に対する溶解性が向上して、塗膜の強度が向上するため好ましい。
【００６８】
（無機フィラー）
前記無機フィラーとしては、公知慣用の無機フィラーが使用できるが、特にシリカ、アルミナ（酸化アルミニウム）、窒化ホウ素、硫酸バリウム、タルク、およびノイブルグ珪土が好ましく用いられる。また、難燃性を付与する目的で、水酸化アルミニウム、水酸化マグネシウム、ベーマイトなども使用することができる。さらに、１個以上のエチレン性不飽和基を有する化合物や前記多官能エポキシ樹脂にナノシリカを分散したＨａｎｓｅ−Ｃｈｅｍｉｅ社製のＮＡＮＯＣＲＹＬ（商品名）  ＸＰ  ０３９６、ＸＰ  ０５９６、ＸＰ  ０７３３、ＸＰ  ０７４６、ＸＰ  ０７６５、ＸＰ  ０７６８、ＸＰ  ０９５３、ＸＰ  ０９５４、ＸＰ  １０４５（何れも製品グレード名）や、Ｈａｎｓｅ−Ｃｈｅｍｉｅ社製のＮＡＮＯＰＯＸ（商品名）  ＸＰ  ０５１６、ＸＰ  ０５２５、ＸＰ  ０３１４（何れも製品グレード名）も使用できる。
【００６９】
前記シリカ、アルミナは、球状のものが好ましい。球状シリカの平均粒径（Ｄ５０）は、好ましくは０．０１〜１０μｍである。球状アルミナの平均粒径は、好ましくは０．０５〜２０μｍである。平均粒径は、レーザー回折法により測定される。また、球状シリカ、球状アルミナの真球度は、好ましくは０．８以上である。表面をシランカップリング剤で処理したものであってもよい。真球度は以下のように測定される。ＳＥＭで写真を撮り、その観察される粒子の面積と周囲長から、（真球度）＝｛４π×（面積）÷（周囲長）２｝で算出される値として算出する。具体的には画像処理装置を用いて１００個の粒子について測定した平均値を採用する。
【００７０】
市販されている球状シリカとしては、アドマテック社製ＳＯシリーズ、東亜合成社製ＨＰＳシリーズ（ＨＰＳ−０５００、ＨＰＳ−１０００、ＨＰＳ３５００など）等が挙げられる。
【００７１】
市販されている球状アルミナとしては、アドマテックス社製ＡＯシリーズ、アドマテックス社製ＴＣ−９７５ｃ、昭和電工社製アルナビーズ／ＣＢシリーズ等が挙げられる。
【００７２】
前記無機フィラーの配合量は、硬化性樹脂組成物中に固形分換算で、好ましくは７０質量％以下、より好ましくは０．１〜６０質量％である。前記フィラーの配合量が、７０質量％以下の場合、硬化性樹脂組成物の粘度が適度で、印刷性が向上し硬化物の強度が向上するので好ましい。
【００７３】
（その他の任意成分）
前記隔壁形成用の硬化性樹脂組成物には、必要に応じてさらに、熱硬化性成分、熱硬化触媒、ウレタン化触媒、熱可塑性樹脂、ブロック共重合体、エラストマー、密着促進剤、着色剤、酸化防止剤、紫外線吸収剤などの成分を配合することができる。これらは、電子材料の分野において公知の物を使用することができる。また、前記隔壁形成用の硬化性樹脂組成物には、微粉シリカ、ハイドロタルサイト、有機ベントナイト、モンモリロナイトなどの公知慣用の増粘剤、シリコーン系、フッ素系、高分子系などの消泡剤および／またはレベリング剤、イミダゾール系、チアゾール系、トリアゾール系等のシランカップリング剤、防錆剤などのような公知慣用の添加剤類を配合することができる。樹脂組成物の調製のためや、基板やキャリアフィルムに塗布するための粘度調整のために、有機溶剤を使用することができる。
【００７４】
＜ソルダーレジスト層形成用の硬化性樹脂組成物＞
ソルダーレジスト層は、硬化性樹脂組成物を用いて形成することができる。ソルダーレジスト層形成用の硬化性樹脂組成物は、前記隔壁形成用の硬化性樹脂組成物と同様に、上記の着色剤の他に、硬化性樹脂組成物に通常使用されている上記のような材料を用いて調製することができる。硬化性樹脂組成物を、アルカリ現像性の光硬化性樹脂組成物とするためには、硬化性樹脂組成物が、アルカリ可溶性樹脂、および、光重合開始剤を含むことが好ましい。ソルダーレジスト層形成用の硬化性樹脂組成物はエポキシ樹脂を好適に含有することができる。なお、ソルダーレジスト層形成用の硬化性樹脂組成物は、アルカリ可溶性樹脂を含有しない非現像型光硬化性樹脂組成物、溶剤現像型光硬化性樹脂組成物、熱硬化性樹脂組成物でもよい。また、ソルダーレジスト層形成用の硬化性樹脂組成物は、光塩基発生剤を含有する組成物、光酸発生剤を含有する組成物でもよい。
【００７５】
（エポキシ樹脂）
前記エポキシ樹脂としては、１分子中に少なくとも２つのエポキシ基を有する公知慣用の多官能エポキシ樹脂が使用できる。エポキシ樹脂は、液状であってもよく、固形ないし半固形であってもよい。多官能エポキシ樹脂としては、ビスフェノールＡ型エポキシ樹脂；ブロム化エポキシ樹脂；ノボラック型エポキシ樹脂；ビスフェノールＦ型エポキシ樹脂；水添ビスフェノールＡ型エポキシ樹脂；グリシジルアミン型エポキシ樹脂；ヒダントイン型エポキシ樹脂；脂環式エポキシ樹脂；トリヒドロキシフェニルメタン型エポキシ樹脂；ビキシレノール型もしくはビフェノール型エポキシ樹脂またはそれらの混合物；ビスフェノールＳ型エポキシ樹脂；ビスフェノールＡノボラック型エポキシ樹脂；テトラフェニロールエタン型エポキシ樹脂；複素環式エポキシ樹脂；ジグリシジルフタレート樹脂；テトラグリシジルキシレノイルエタン樹脂；ナフタレン基含有エポキシ樹脂；ジシクロペンタジエン骨格を有するエポキシ樹脂；グリシジルメタアクリレート共重合系エポキシ樹脂；シクロヘキシルマレイミドとグリシジルメタアクリレートの共重合エポキシ樹脂；エポキシ変性のポリブタジエンゴム誘導体；ＣＴＢＮ変性エポキシ樹脂等が挙げられるが、これらに限られるものではない。これらのエポキシ樹脂は、１種を単独でまたは２種以上を組み合わせて用いることができる。これらの中でも特にＥＨＰＥ３１５０、ＰＢ−３６００、セロキサイド２０２１（いずれもダイセル化学工業社製）等の過酢酸法によるエポキシド変性化合物はハロゲンイオンを不純物として含まないので好ましい。また、エポキシ樹脂は、保存安定性の観点から、脂環式エポキシ樹脂であることが好ましい。これらのエポキシ樹脂は、１種を単独で用いてもよく、２種以上を組み合わせて用いてもよい。
【００７６】
エポキシ樹脂の配合量は、硬化性樹脂組成物中に固形分換算で、１〜２５質量％が好ましい。１質量％以上の場合、耐熱性が向上する。また、２５質量％以下の場合、現像性が向上する。
【００７７】
前記ソルダーレジスト層形成用の硬化性樹脂組成物は、エポキシ樹脂用硬化剤をさらに含有してもよい。エポキシ樹脂用硬化剤としては、多官能フェノール化合物、ポリカルボン酸およびその酸無水物、シアネートエステル樹脂、活性エステル樹脂、脂肪族または芳香族の一級または二級アミン、ポリアミド樹脂、ポリメルカプト化合物などが挙げられる。
【００７８】
本発明のプリント配線板の具体例を図１〜３に基づき以下に説明するが、これに限定されるものではない。図１（Ａ）は、導体パターン２が形成された基板１の表面に形成されたソルダーレジスト層３、および、部品実装部２ａに設けられた開口部８を囲むようにソルダーレジスト層３の表面に形成された隔壁７ａを有するプリント配線板９ａを示すものである。隔壁７ａの形成方法は特に限定されないが、例えば、ソルダーレジスト層３上に硬化性樹脂層４を設けた後に、隔壁７ａ以外の他の硬化性樹脂層を除去することによって隔壁７ａを形成することが可能である。また、ソルダーレジスト層３上に硬化性樹脂組成物をパターン印刷等をすることによって隔壁７ａを形成することもできる。ソルダーレジスト層３と隔壁７ａが色のコントラストを有するため、隔壁７ａの識別性に優れる。
【００７９】
図２（Ａ）は、導体パターン２が形成された基板１の表面に形成されたソルダーレジスト層３、および、部品実装部２ａに設けられた開口部８を囲むようにソルダーレジスト層３の表面に形成された隔壁７ｂを有するプリント配線板９ｂを示すものである。隔壁７ｂの形成方法は特に限定されないが、例えば、ソルダーレジスト層３上に硬化性樹脂層４を設けた後に、硬化性樹脂層４の一部を除去し、溝部６を設けることによって隔壁７ｂを形成することが可能である。また、ソルダーレジスト層３上に硬化性樹脂組成物をパターン印刷等をすることによって、溝部６および隔壁７ｂを形成することもできる。ソルダーレジスト層３と隔壁７ｂが色のコントラストを有するため、隔壁７ｂの識別性に優れる。
【００８０】
本発明のプリント配線板とフリップチップとの接続方法は特に限定されないが、例えば、フリップチップ接続のための端子として、開口部８にはんだボール１０を設け、チップ１１に設けたバンプ１２と位置合わせをした後、リフローすることによって、本発明のプリント配線板にチップをフリップチップ接続したフリップチップ接続基板１３ａ、１３ｂを得ることができる（図１（Ｂ）、図２（Ｂ））。チップとの隙間を埋めるために充填されたアンダーフィル１４が溢れた場合、前記のように設けた隔壁によって堰き止めることができる（図１（Ｃ）、図２（Ｃ））。
【００８１】
前記基板としては、予め回路形成されたプリント配線板やフレキシブルプリント配線板の他、紙フェノール、紙エポキシ、ガラス布エポキシ、ガラスポリイミド、ガラス布／不繊布エポキシ、ガラス布／紙エポキシ、合成繊維エポキシ、フッ素・ポリエチレン・ポリフェニレンエーテル、ポリフェニレンオキシド・シアネートエステル等を用いた高周波回路用銅張積層版等の材質を用いたもので全てのグレード（ＦＲ−４等）の銅張積層版、その他ポリイミドフィルム、ＰＥＴフィルム、ガラス基板、セラミック基板、ウエハ板等を挙げることができる。
【００８２】
ソルダーレジスト層の形成方法は特に限定されず、前記硬化性樹脂組成物を、例えば前記有機溶剤で塗布方法に適した粘度に調整し、基材上に、ディップコート法、フローコート法、ロールコート法、バーコーター法、スクリーン印刷法、カーテンコート法等の方法により塗布し、約６０〜１００℃の温度で組成物中に含まれる有機溶剤を揮発乾燥（仮乾燥）させることにより、タックフリーの塗膜を形成できる。また、上記組成物をキャリアフィルム上に塗布し、乾燥させてフィルムとして巻き取ったものを基材上に張り合わせることにより、硬化性樹脂層を形成できる。硬化性樹脂組成物として、アルカリ現像性の光硬化性樹脂組成物を用いた場合には、その後接触式（または非接触方式）により、パターンを形成したフォトマスクを通して選択的に活性エネルギー線により露光もしくはレーザーダイレクト露光機により直接パターン露光し、未露光部を希アルカリ水溶液（例えば０．３〜３ｗｔ％炭酸ソーダ水溶液）により現像してレジストパターンを形成することができる。さらに、例えば約１４０〜１８０℃の温度に加熱して熱硬化させることにより、耐熱性、耐薬品性、耐吸湿性、密着性、電気特性などの諸特性に優れた硬化塗膜としてのソルダーレジスト層を形成することができる。また、レジストパターンは、炭酸ガスレーザー、ＵＶ−ＹＡＧレーザー、エキシマレーザー等を用いたレーザー加工や、スクリーン印刷法等でパターン印刷によっても形成することができる。
【００８３】
隔壁の形成方法は特に限定されず、前記ソルダーレジスト層の形成方法と同様の方法で、ソルダーレジスト層上に隔壁のパターンを形成することができる。具体例としては、隔壁形成用の硬化性樹脂組成物としてアルカリ現像性の光硬化性樹脂組成物を用いた場合には、隔壁形成用の硬化性樹脂組成物をキャリアフィルム上に塗布し、乾燥させてフィルムとして巻き取ったものをソルダーレジスト層上に張り合わせた後、選択的に露光し、未露光部を希アルカリ水溶液により現像して隔壁パターンを形成することができる。また、隔壁を有する本発明のプリント配線板に対して、チップをフリップチップ接続した後、アンダーフィルを隙間に充填し、フリップチップ実装基板を得ることができる。
【００８４】
隔壁の高さは２〜５０μｍであることが好ましい。隔壁の幅は特に限定されないが、３０〜２００μｍの微細な隔壁の場合に、または、溝部を設けて隔壁を形成した場合には３０〜２００μｍの微細な溝部の場合に本発明の効果を顕著に得ることができる。
【実施例】
【００８５】
以下に実施例および比較例を示して本発明について具体的に説明するが、本発明が下記実施例に限定されるものではない。尚、以下において「部」および「％」とあるのは、特に断りのない限り質量基準である。
【００８６】
（合成例１：アルカリ可溶性樹脂Ａ−１の合成）
ジエチレングリコールモノエチルエーテルアセテート６００ｇに、オルソクレゾールノボラック型エポキシ樹脂（ＤＩＣ社製、ＥＰＩＣＬＯＮ  Ｎ−６９５、軟化点９５℃、エポキシ当量２１４、平均官能基数７．６）１０７０ｇ（グリシジル基数（芳香環総数）：５．０モル）、アクリル酸３６０ｇ（５．０モル）、およびハイドロキノン１．５ｇを仕込み、１００℃に加熱攪拌し、均一になるまで溶解した。
次いで、上記溶液にトリフェニルホスフィン４．３ｇを仕込み、１１０℃に加熱して２時間反応させた。その後、１２０℃に昇温してさらに１２時間反応を行った。
得られた反応液に芳香族系炭化水素（ソルベッソ１５０）４１５ｇ、テトラヒドロ無水フタル酸４５６．０ｇ（３．０モル）を仕込み、１１０℃で４時間反応を行い、冷却後、固形分酸価８９ｍｇＫＯＨ／ｇ、固形分６５％のカルボキシル基含有樹脂溶液を得た。これをアルカリ可溶性樹脂溶液Ａ−１とする。
【００８７】
（合成例２：アルカリ可溶性樹脂Ａ−２の合成）
温度計、攪拌機、滴下フロート、および還流冷却器を備えたフラスコに、メチルメタクリレート、グリシジルメタアクリレートのモル比が４：６になるように仕込み、溶媒にカルビトールアセテート、触媒にアゾビスイソブチルニトリルを用い、窒素雰囲気下、８０℃で４時間撹拌し、樹脂溶液を得た。この樹脂溶液を冷却し、重合禁止剤としてメチルハイドロキノン、触媒としてテトラブチルホスホニウムブロミドを用い、アクリル酸を９５〜１０５℃で１６時間の条件でエポキシ基に対して１００％付加反応させた。この反応生成物を、８０〜９０℃まで冷却し、テトラヒドロフタル酸無水物を８時間反応させ、冷却後、取り出し、エチレン性不飽和結合およびカルボキシル基を併せ持つ感光性樹脂（重量平均分子量：１５，０００）の溶液を得た。得られた樹脂溶液は、固形分酸価１００ｍｇＫＯＨ／ｇ、固形分６５％であった。これをアルカリ可溶性樹脂溶液Ａ−２とする。
【００８８】
（硬化性樹脂組成物の調製）
下記表１に示す成分を、表中に示す割合（質量部）にて配合し、攪拌機にて予備混合した後、３本ロールミルで混練し、硬化性樹脂組成物を調製した。尚、硬化性樹脂組成物１、２の着色剤は、同じ種類であり、かつ、濃度も同じである。
【００８９】
【表１】
2015090876.tif 000003
Ａ−１：上記で合成した アルカリ可溶性樹脂Ａ−１
Ａ−２：上記で合成した アルカリ可溶性樹脂Ａ−２
＊１：フェノール性水酸基を有するアルカリ可溶性樹脂（ＨＦ１−Ｍ：明和化成社製）
＊２：２，４，６−トリメチルベンゾイル−ジフェニル−フォスフィンオキサイド
（ルシリンＴＰＯ：ＢＡＳＦジャパン社製）
＊３：Ｃ．Ｉ．Ｐｉｇｍｅｎｔ  Ｂｌｕｅ  １５：３
＊４：Ｃ．Ｉ．Ｐｉｇｍｅｎｔ  Ｙｅｌｌｏｗ  １４７
＊５：Ｐａｌｉｏｇｅｎ  Ｒｅｄ  Ｋ３５８０
＊６：ファストゲンブルー５３８０／ＦＡ５３８０
＊７：Ｐｌａｓｔ  Ｙｅｌｌｏｗ８０２５
＊８：カーボンブラック（カーボンＭＡ−１００）
＊９：酸化チタン（タイペークＣＲ−５８：石原産業社製）
＊１０：トリシクロデカンジメタノールジアクリレート（Ａ−ＤＣＰ：新中村化学工業社製）
＊１１：ジペンタエリスリトールヘキサアクリレート（ＤＰＨＡ：日本化薬社製）
＊１２：硫酸バリウム（Ｂ−３０：堺化学工業社製）
＊１３：タルク（ＳＧ−２０００：日本タルク社製）
＊１４：球状シリカ（アドマファインＳＯ−Ｅ２：アドマテックス社製）
＊１５：ビキシレノール型エポキシ樹脂（ＹＸ−４０００：三菱化学社製）
＊１６：フェノール／変性ノボラック型エポキシ樹脂（Ｎ−８６５：ＤＩＣ社製）
【００９０】
＜ドライフィルムの作製＞
硬化性樹脂組成物１〜１４をそれぞれメチルエチルケトンで適宜希釈した後、アプリケーターを用いて、乾燥後の膜厚が２０μｍになるようにＰＥＴフィルム（東レ社製、ＦＢ−５０：１６μｍ）に塗布し、８０℃で３０分乾燥させドライフィルムを得た。
【００９１】
＜プリント配線板の作製＞
回路形成された基板をバフ研磨した後、硬化性樹脂組成物１、３、４をドライフィルム化したサンプルについて真空ラミネーター（名機製作所社製、ＭＶＬＰ（登録商標）−５００）を用いて加圧度：０．８ＭＰａ、７０℃、１分、真空度：１３３．３Ｐａの条件で加熱ラミネートして、未露光の硬化性樹脂層（ドライフィルム）を有するプリント配線板を得た。得られたプリント配線板に、高圧水銀灯（ショートアークランプ）搭載の露光装置を用いて、最適露光量でパターン露光し、ＰＥＴフィルムの剥離をした。その後３０℃の１ｗｔ％Ｎａ２ＣＯ３水溶液をスプレー圧２ｋｇ／ｃｍ２の条件で６０秒間現像を行い、ソルダーレジスト層としてのレジストパターンを形成した。
【００９２】
上記レジストパターンを形成したプリント配線板に硬化性樹脂組成物１、２、５〜１４のドライフィルム化したサンプルを真空ラミネーター（名機製作所社製、ＭＶＬＰ（登録商標）−５００）を用いて加圧度：０．８ＭＰａ、７０℃、１分、真空度：１３３．３Ｐａの条件で加熱ラミネートして、ソルダーレジスト層と隔壁形成用の硬化性樹脂層を有するプリント配線板を得た。
【００９３】
得られたプリント配線板の隔壁形成用の硬化性樹脂層に、高圧水銀灯（ショートアークランプ）搭載の露光装置を用いて、最適露光量でパターン露光し、ＰＥＴフィルムの剥離をした。その後３０℃の１ｗｔ％Ｎａ２ＣＯ３水溶液をスプレー圧２ｋｇ／ｃｍ２の条件で６０秒間現像を行い、幅１００μｍの隔壁のパターンを形成した。この基板を、ＵＶコンベア炉にて積算露光量１０００ｍＪ／ｃｍ２の条件で紫外線照射した後、１５０℃で６０分加熱して硬化し、試験基板とするプリント配線板を作製した。
【００９４】
＜外観識別性＞
上記にて作製した試験基板を光学顕微鏡（ＮＩＫＯＮ社製光学顕微鏡、１００〜１０００倍）にて観察し評価した。判断基準は以下のとおりである。
◎：明確なコントラストが有り識別可能であり、見逃し率の改善につながる。
〇：下地のソルダーレジスト層と比較してわずかなコントラストにより識別が可能であり、見逃し率の改善につながる。
×：色のコントラストがなく、識別不能。
【００９５】
＜保存安定性＞
上記にて作製した隔壁形成用の硬化性樹脂組成物１、２、５〜１４のドライフィルムを２４時間放置した後、上記試験基板と同様に、ラミネート、露光、現像を行い、隔壁パターンを形成した。その後の各硬化性樹脂組成物の現像残渣を目視にて評価した。判断基準は以下のとおりである。
〇：現像残渣無し
×：現像残渣発生
【００９６】
＜鉛筆硬度＞
上記にて作製した試験基板に対して、ＪＩＳ  Ｓ  ６０００（鉛筆）に規定されている鉛筆を用いて、加重１ｋｇになるように加圧し隔壁が剥がれる鉛筆の硬度を測定した。
〇：５Ｈ以上
×：５Ｈ未満
【００９７】
＜耐無電解金めっき性＞
上記にて作製した試験基板に対して、市販品の無電解ニッケルめっき浴および無電解金めっき浴を用いて、ニッケル０．５μｍ、金０．０３μｍの条件でめっきを行い、テープピーリングにより、隔壁の剥がれの有無を評価した。判定基準は以下のとおりである。
〇：隔壁の剥がれ無し。
×：隔壁の剥がれ発生。
【００９８】
【表２】
2015090876.tif 000004
【００９９】
上記各実施例の結果から明らかなように、ソルダーレジスト層と隔壁とに色のコントラストを有することにより、外観識別性が格段に向上することが確認できた。それに対して、色のコントラストのない各比較例の試験基板は、外観識別性に劣るものであった。
【符号の説明】
【０１００】
１．基板
２．導体パターン
２ａ．部品実装部
３．ソルダーレジスト層
４．硬化性樹脂層
６．溝部
７ａ．隔壁
７ｂ．隔壁
８．開口部
９ａ．プリント配線板
９ｂ．プリント配線板
１０．はんだボール
１１．チップ
１２．バンプ
１３ａ．フリップチップ実装基板
１３ｂ．フリップチップ実装基板
１４．アンダーフィル
１５ａ．アンダーフィルを充填したフリップチップ実装基板
１５ｂ．アンダーフィルを充填したフリップチップ実装基板
【図１】
2015090876.tif 000005
【図２】
2015090876.tif 000006
【図３】
2015090876.tif 000007